(57)【特許請求の範囲】
【請求項１】
玄関に隣接する階段と、前記階段の踊り場の下に配設されるスロープと、
を備え、
前記スロープは一端が前記玄関の玄関土間に連続し、他端は前記玄関土間と段差のある居室に連続して、前記スロープを登ることによって前記玄関土間と段差のある玄関ホールに至ることを特徴とする住宅。
【請求項２】
玄関の玄関土間と段差のある１階の床に玄関と隣接して収納区画が設けられ、その収納区画には玄関土間への出入り口と１階の床への出入り口が設けられ、その収納区画内側には前記各出入り口を連絡する前記スロープが設けられる請求項１記載の住宅。
【請求項３】
前記１階の床上に、前記階段の踊り場と同一平面に連続し、１階の床より半階高い第２の床が設けられ、前記収納区画はその第２の床下に設けられる請求項１又は請求項２記載
の住宅。
【請求項４】
前記１階の床への出入り口が収納区画に沿って配置される廊下への出入り口である請求項
１〜請求項３のいずれか一に記載の住宅。
【請求項５】
前記出入り口には引き戸が設けられる請求項１〜請求項４のいずれか一に記載の住宅。
【請求項６】
前記スロープに沿って階段及び踊り場棚が配置されてなる請求項１〜請求項５のいずれか一に記載の住宅。
【発明の詳細な説明】
【技術分野】
【０００１】
本発明は、１階の床と、この１階の床の一部の上に設けられた中間床との間が収納空間
とされると共に玄関の玄関土間と段差のある１階の床に玄関と隣接して踊り場を介して２
階の床に至る階段が設けられた住宅に関し、特に居住空間内外において車椅子の使用が必
要である車椅子使用者が居住するために階段及び踊り場空間と共に収納空間の構造に配慮
した住宅に関する。
【背景技術】
【０００２】
近年における生活の質の向上や多様化に対応し、建物の内部に大型収納空間を設けると
ともに、この収納空間と同じ床レベルの居室を隣接して設け、さらに、当該居室に収納空
間への出入り口を設けた建物は、上階の床と下階の床との間のスキップ床の床レベルに収
納空間を設けてなるため、上階の荷物と下階の荷物のいずれを収納空間へ出し入れする場
合にも便利であるという利点を備える。一方、本格的長寿社会を迎え、高齢者に限らず、
保護されるべき被介護者は歩行の困難を補うために車椅子の使用が不可避である場合がし
ばしばであり、したがって係る被介護者の暮らす住宅は、床の段差を可能な限り小さくす
ることによって、車椅子の使用を安全かつ容易にする必要がある。
【０００３】
このような要請に向けて本出願人は特許文献１で、天井高が低く比較的大きな収納空間
を玄関の脇に設けることで面積に制約のある一般住宅における空間の有効利用を図り、限
られた住宅空間を有効に活用しつつ使い勝手の良い収納を実現するという提案を行い、特
許文献２において玄関領域の高低差や段差を可能な限り小さくし、具体的には建物の一階
に設けられる玄関の沓みずりと、玄関外側の段差及び沓みずりと玄関土間の段差が具体的
に検討され、車椅子での通過も比較的容易にされた住宅を提案した。
【０００４】
【特許文献１】特開２００６−１６８４９号公報
【特許文献２】特開２００２−３０９７８４号公報
【発明の開示】
【発明が解決しようとする課題】
【０００５】
特許文献１で提案された住宅では収納すべき物品の用途に合わせた収納をすることで面
積に制約のある一般住宅における空間の有効利用が可能にはなったものの、特定の空間が
単に物を収納するために利用されるだけであって、さらなる効率的な活用を図る必要があ
った。
【０００６】
一方、特許文献２で提案された住宅にあっては、玄関で靴を脱ぐために腰を下ろす上り
框と玄関土間との段差を車椅子で楽に登ることができる様にするためには勾配の緩いスロ
ープを設置する必要があり、係るスロープを設置するための専用スペースを玄関領域に設
けることは面積に制約のある一般住宅では容易ではなかった。
【０００７】
したがって本発明は以上の従来技術における問題点に鑑み、面積に制約のある一般住宅
における空間のさらなる有効利用を図って、車椅子使用者が心身共に快適に安心して居住
できる環境を実現することができる住宅を提供することを目的とする。
【課題を解決するための手段】
【０００８】
すなわち本発明の住宅は、玄関に隣接する階段と、前記階段の踊り場の下に配設されるスロープと、
を備え、
前記スロープは一端が前記玄関の玄関土間に連続し、他端は前記玄関土間と段差のある居室に連続して、前記スロープを登ることによって前記玄関土間と段差のある玄関ホールに至ることを特徴とする。
【０００９】
玄関の玄関土間と段差のある１階の床に玄関と隣接して収納区画が設けられ、その収納
区画には玄関土間への出入り口と１階の床への出入り口が設けられ、その収納区画内側に
は前記各出入り口を連絡するスロープが設けられる様にしてもよい
【００１０】
前記１階の床上に、前記階段の踊り場と同一平面に連続し、１階の床より半階高い第２の床が設けられ、前記収納区画はその第２の床下に設けられるようにすることができる。
【００１１】
前記１階の床への出入り口は、玄関の上り框近傍への出入り口又は収納区画に沿って配
置される廊下への出入り口とすることができ、この出入り口には引き戸が設けられる様に
することができる。
【００１２】
前記スロープに沿って階段及び踊り場棚が配置されてなる様にすることができる。前記スロープに沿ってガイドレール及び／又は手すりが設けられる様にすることができる。
【００１３】
前記スロープに沿って収納棚を配置し、その収納棚の端部に手すりを設ける様にしても良い。
【００１４】
本発明の住宅によれば、玄関に隣接する階段と、前記階段の踊り場の下に配設されるスロープと、を備え、前記スロープは一端が前記玄関の玄関土間に連続し、他端は前記玄関土間と段差のある居室に連続して、前記スロープを登ることによって前記玄関土間と段差のある玄関ホールに至ることができる。
【発明の効果】
【００１５】
以上の様に本発明の住宅によれば、従来デッドスペースとなる様な空間を活用し、かつ
車椅子で移動する場合にはあまり高い天井高を必要としない点を利用して、広い面積を必
要とするスロープを、そのスロープを設けることが必要とされる利便性の良い場所に設け
ながら、加えて、収納という付加機能を加え、一般住宅で空間を有効に活用して車椅子使
用者が快適な生活を送ることができる居住環境を実現することができる。
【発明を実施するための最良の形態】
【００１６】
以下に本発明の実施の形態を説明する。この実施の形態では階段として折返し階段を有し、スロープは第１のスロープと第２のスロープとよりなり、居室と近接して玄関ホールが配置されるが、本発明の実施の形態はこれに限定されるものではない。
【００１７】
住宅１からの出入りに供する玄関２は、玄関土間２−２と玄関ホール２−３とを有して
構成され、玄関ホール２−３を備える１階の床９の床上であって玄関２及び居間・食事室
６に隣り合う位置には収納区画である蔵型階段・踊り場室１０が設けられる。
この蔵型階段・踊り場室１０を設けることによって充分な収納面積を確保することがで
き、広びろとした快適な居住空間が同時に車椅子使用者にとっても安全な移動および生活
動作が可能な居住空間となる。
【００１８】
図２〜図５は図１に示す住宅１の１階の床９と折返し階段の踊り場１１と同一平面に連
続し、１階の床より半階高い第２の床１１ａを示す部分斜視図である。図６は図１矢視Ａ
図である。また図７は図１断面Ｂ−Ｂ図である。
居間・食事室６に隣り合う蔵型階段・踊り場室１０の床より半階高い位置には折返し階
段の踊り場１１と同一平面に連続し、１階の床より半階高い第２の床１１ａが設けられ、
居間・食事室６から第２の床１１ａに上がる階段１３が設けられる。さらにこの踊り場１
１よりも半階上がった位置の２階１２に至る階段１４が設けられる。
【００１９】
以上の様に第２の床１１ａの高さが１階の床９の蔵型階段・踊り場室１０の床より半階
高くされている結果、平均的な身長の大人が車椅子に座った状態で蔵型階段・踊り場室１
０内を移動して車椅子に乗ったまま収納庫内の物品を容易に取り出すことができ、物品の
搬入や搬出に不自由はない。一方、第２の床１１ａに至るための階段１３の上り下りも健
常者には特に負担となるものではない。
ここで半階とは、平均的な身長の大人が車椅子に座った状態で蔵型階段・踊り場室１０
内を自由に移動することができる高さであって、１，４００ｍｍ以下の高さを標準とする
。
この様に蔵型階段・踊り場室１０の天井高すなわち図７に示す高さＨ４は車椅子に乗っ
たまま手が届く様に低く抑えられている。
【００２０】
蔵型階段・踊り場室１０には出入り口１０−３と出入り口１０−４が設けられ、蔵型階
段・踊り場室１０内側には、出入り口１０−３と出入り口１０−４とを結び、緩やかな傾
斜で連絡する第１のスロープ１０−５ａと第２のスロープ１０−５ｂが設けられ、係る第
１のスロープ１０−５ａと第２のスロープ１０−５ｂが玄関土間２−２への出入り口１０
−３と居間・食事室６に面して設けられる出入口１０−４とを連絡する。
【００２１】
玄関土間２−２（図７に示す高さＨ１）と１階の床９（図７に示す高さＨ３）との間に
は図７に示す高さＨ２の段差が存在する。したがって第１のスロープ１０−５ａと第２の
スロープ１０−５ｂには玄関土間２−２への出入り口１０−３（図７に示す高さＨ１）か
ら１階の床９への出入り口１０−４（図７に示す高さＨ３）に向かって１／１５の昇り勾
配であって、これはすなわち出入り口１０−４（高さＨ３）から出入り口１０−３（高さ
Ｈ１）に向かって３ｍ間で２０ｃｍ低くなる下り勾配が形成される。
【００２２】
蔵型階段・踊り場室１０内における収納棚１０−６ａ，１０−６ｂ，１０−６ｃ（以下
、「収納棚１０−６」と総称する）、は第１のスロープ１０−５ａと第２のスロープ１０
−５ｂの態様及び位置との関係で、基本的には第１のスロープ１０−５ａと第２のスロー
プ１０−５ｂに沿って配置され、かつ収納棚１０−６の第１のスロープ１０−５ａと第２
のスロープ１０−５ｂ側の端部に沿って手すり１０−７が設けられる。
【００２３】
この手すり１０−７は図６に示される様に収納棚１０−６の上面に設けることができ、
また図上破線で示す手すり１０−７ａの様に、収納棚１０−６の側端面から第１のスロー
プ１０−５ａと第２のスロープ１０−５ｂ側に張り出す態様で設けることもできる。
さらに図上手すり１０−７ｂとして示す様に第１のスロープ１０−５ａと第２のスロー
プ１０−５ｂ側縁部分に立設する態様で張り渡すこともできる。さらにまた踊り場１１の
下面側に第１のスロープ１０−５ａと第２のスロープ１０−５ｂに沿って張り渡す態様で
手すり１０−７ｃを設ける様にすることができる。
【００２４】
以上の実施の形態の住宅１によれば、車椅子使用者１５が外部から住宅１内に入る場合
には、玄関ポーチから玄関土間２−２に入り、出入り口１０−３から蔵型階段・踊り場室
１０内側の第１のスロープ１０−５ａと第２のスロープ１０−５ｂを通過し、出入り口１
０−４から１階の床９に至ることができる。
その過程では、第１のスロープ１０−５ａと第２のスロープ１０−５ｂには１／１５の
昇り勾配はあるものの特に通行の障害となる段差はなく、車椅子使用者１５は車椅子１６
に着座したまま特に困難無く住宅１内に入ることができる。
【００２５】
さらに第１のスロープ１０−５ａと第２のスロープ１０−５ｂに沿って収納棚１０−６
が配置され、かつ収納棚１０−６の第１のスロープ１０−５ａと第２のスロープ１０−５
ｂ側の端部に沿って手すり１０−７が設けられているので、手すり１０−７を伝っていく
ことで第１のスロープ１０−５ａと第２のスロープ１０−５ｂの通過を安全に行うことが
できるだけでなく、その過程で収納棚に収納してある物を簡便に取得し、若しくは外出に
際して携行した物具を簡便に収納することができる。さらに、この第１のスロープ１０−
５ａと第２のスロープ１０−５ｂに沿ってガイドレールが設けられた場合には、第１のス
ロープ１０−５ａと第２のスロープ１０−５ｂの通過をより安全に行うことができる。
【００２６】
一方、車椅子使用者１５が住宅１内から外部に出る場合には、１階の床９から出入り口
１０−４を介して蔵型階段・踊り場室１０内側の第１のスロープ１０−５ａと第２のスロ
ープ１０−５ｂを通過し、出入り口１０−３から玄関土間２−２に至り玄関ポーチから外
部に出ることができる。
その過程では、第１のスロープ１０−５ａと第２のスロープ１０−５ｂには特に通行の
障害となる段差はなく、１／１５の下り勾配はあるものの特に危険を生じる下り勾配では
なく、むしろ下り勾配を利用して移動できるため体力消費は少なくなり、車椅子使用者１
５には便宜である。
【００２７】
また、第１のスロープ１０−５ａと第２のスロープ１０−５ｂを通過する過程で収納棚
１０−６の第１のスロープ１０−５ａと第２のスロープ１０−５ｂ側の端部に沿って設け
られた手すり１０−７を伝っていくことで車椅子使用者１５自身が速度を調整してゆっく
りと移動することができ、その点からも安全な移動が可能となる。
【００２８】
さらに第１のスロープ１０−５ａと第２のスロープ１０−５ｂを通過して安全に外出す
ることができるだけでなく、その過程で収納棚に収納してある防寒具や雨具、さらにはゲ
ートボールを行うための用具など外出する際に必要となる物を車椅子に乗ったまま、簡便
に取得して外出することが可能となる。
さらに、この第１のスロープ１０−５ａと第２のスロープ１０−５ｂに沿ってガイドレ
ールが設けられた場合には、第１のスロープ１０−５ａと第２のスロープ１０−５ｂの通
過をより安全に行うことができることは言うまでもない。なお、第１のスロープ１０−５
ａと第２のスロープ１０−５ｂの幅員は車椅子１６による円滑な通行を可能とすると共に
、収納棚１０−６における充分な収納容量を確保するために８００〜８５０ｍｍとされる
。
【００２９】
また、第２の床１１ａ上に設けられた居室は例えば介護者の寝室として用いることがで
き、介護者は夜間必要に応じて居間・食事室６に待機することができ、また第２の床１１
ａ上に設けられた居室で休むこともできる。
【００３０】
［第二の実施の形態］
図８は本発明の第二の実施の形態に係る住宅１の平面図である。本実施の形態の住宅１
では出入り口１０−３及び出入り口１０−４の各々には引き戸１０−３ａ、１０−４ａが
設けられ、車椅子使用者１５が外部から住宅１内に入る場合には、玄関ポーチ２−１から
玄関土間２−２に入り、出入り口１０−３の引き戸１０−３ａを開いて、蔵型階段・踊り
場室１０内側の第１のスロープ１０−５ａと第２のスロープ１０−５ｂを通過し、出入り
口１０−４から引き戸１０−４ａを開いて１階の床９に至ることができる。
【００３１】
［第三の実施の形態］
図９は本発明の第三の実施の形態に係る住宅１の１階の床９と踊り場１１と２階１２の
一部切り欠き斜視図であり、図１０は図９矢視Ａ図である。
【００３２】
本実施の形態では図９、図１０に示すように第１のスロープ１０−５ａを通過した後出
入り口１０−４から１階の床９に至る第２のスロープ１０−５ｂは、踊り場１１に上がる
階段１３の側部ではなく、踊り場１１から２階１２への階段１４の下方に配置される。
その結果本実施の形態では、蔵型階段・踊り場室１０全体が第一の実施の形態と比較し
てコンパクトに構成される。
【００３３】
また第１のスロープ１０−５ａと第２のスロープ１０−５ｂは円弧状領域１０−５ｃを
有し、その円弧状領域１０−５ｃは内周の半径ｒが１ｍ以上となるように形成されてなる
。  この円弧状領域１０−５ｃは第１のスロープ１０−５ａと第２のスロープ１０−５ｂ
の中間領域に設けられる。
【００３４】
以上の実施の形態の住宅１によれば、車椅子使用者１５が外部から住宅１内に入る場合
には、玄関ポーチから玄関土間２−２に入り、玄関土間２−２から蔵型階段・踊り場室１
０内側の第１のスロープ１０−５ａと第２のスロープ１０−５ｂを通過し１階の床９に至
ることができる。
【００３５】
また第１のスロープ１０−５ａと第２のスロープ１０−５ｂは円弧状領域１０−５ｃを
有するものの特に方向転換が困難となる角張ったコーナーは有さず、しかも円弧状領域１
０−５ｃ自体は第１のスロープ１０−５ａと第２のスロープ１０−５ｂの中間領域に内周
の半径ｒが１ｍ以上となる様に形成されてなるので、車椅子使用者１５はスムーズに円弧
状領域１０−５ｃを通過することができる。
【００３６】
さらに第１のスロープ１０−５ａと第２のスロープ１０−５ｂに沿って収納棚１０−６
が配置され、かつ収納棚１０−６の第１のスロープ１０−５ａと第２のスロープ１０−５
ｂ側の端部に沿って手すり１０−７が設けられているので、手すり１０−７を伝っていく
ことで第１のスロープ１０−５ａと第２のスロープ１０−５ｂの通過を安全に行うことが
できるだけでなく、その過程で収納棚に収納してある物を簡便に取得し、若しくは外出に
際して携行した物具を簡便に階段及び踊り場１１することができる。さらに、この第１の
スロープ１０−５ａと第２のスロープ１０−５ｂに沿ってガイドレールが設けられた場合
には、第１のスロープ１０−５ａと第２のスロープ１０−５ｂの通過をより安全に行うこ
とができる。
【００３７】
また、第１のスロープ１０−５ａと第２のスロープ１０−５ｂは中間領域に円弧状領域
１０−５ｃを有するので、車椅子１６の下降移動の速度はこの円弧状領域１０−５ｃで強
制的に緩和され、その点からも特に危険のない移動が可能となる。
【図面の簡単な説明】
【００３８】
【図１】本発明の第一の実施の形態に係る住宅の平面図である。
【図２】図１に示す実施の形態に係る住宅の部分拡大斜視図である。
【図３】図１に示す実施の形態に係る住宅の他の部分拡大斜視図である。
【図４】図１に示す実施の形態に係る住宅のさらに他の部分拡大斜視図である。
【図５】図１に示す実施の形態に係る住宅のさらに他の部分拡大斜視図である。
【図６】図１矢視Ａ図である。
【図７】図１断面Ｂ−Ｂ図である。
【図８】本発明の第二の実施の形態に係る住宅の平面図である。
【図９】本発明の第三の実施の形態に係る住宅の一部切り欠き斜視図である。
【図１０】図９矢視Ａ図である。
【符号の説明】
【００３９】
１・・・住宅、２・・・玄関、２−２・・・玄関土間、２−３・・・玄関ホール、２−４
・・・上り框、９・・・１階の床、１１ａ・・・第２の床、１２・・・２階、１０・・・
蔵型階段・踊り場室、１０−３，１０−４・・・出入り口、１０−５・・・スロープ、１
０−６・・・収納棚、１０−７・・・手すり、３・・・便所、４・・・洗面脱衣室、５・
・・浴室、６・・・居間・食事室、８・・・廊下、１５・・・車椅子使用者、１６・・・
車椅子。
【図１】
0005360732.tif 000002
【図２】
0005360732.tif 000003
【図３】
0005360732.tif 000004
【図４】
0005360732.tif 000005
【図５】
0005360732.tif 000006
【図６】
0005360732.tif 000007
【図７】
0005360732.tif 000008
【図８】
0005360732.tif 000009
【図９】
0005360732.tif 000010
【図１０】
0005360732.tif 000011